(57)【要約】【課題】縦桟の組み込まれていない壁パネルであっても、壁パネルの連結材による接続する施工において、壁パネルに連結材を仮固定でき一人施工を可能とする。【解決手段】第１および第２の壁パネル１、２に渡って背面側に連結材２２が嵌合し、これらの壁パネル１、２を連結する壁パネルの接続構造３４において、連結材３と第１および第２の壁パネル１、２の間にモール３５を設け、モール３５は、溝付き連結材２２が嵌合する連結材嵌合部４１を備えているとともに、第１の壁パネル１の正面パネル部６と折り返し部７の間に挿入される突起部４２を備えており、モール３５の中央部３８には浴室側方向に窪んだ窪み部５３が形成されており、窪み部５３の底部５４は略M字状に形成され、略M字状の室内側方向の中央に、第１および第２の壁パネル１、２の折り返し端部７に当接するヒレ部５５が設けられている。【選択図】図７
2020084616.tif 000002
【特許請求の範囲】
【請求項１】
二枚の壁パネルに渡って連結材が壁パネルの背面に嵌合し、壁パネル同士を連結する壁パネルの接続構造であって、連結材と壁パネルの間にモールが設けられており、壁パネルは正面パネル部とその端部に設けられる折り返し部を備えており、モールは連結材に嵌合される連結材嵌合部と、正面パネル部と折り返し部の間に挿入される突起部を備えていることを特徴とする壁パネルの接続構造。            
【請求項２】
請求項１に記載の壁パネルの接続構造であって、モールには二枚の壁パネル間の止水用のヒレ部が設けられていることを特徴とする壁パネルの接続構造。                    
【請求項３】
請求項２に記載の壁パネルの接続構造であって、モールの中央部は浴室外側方向に窪んで窪み部が形成されており、窪み部の底部は略Ｍ字状に形成され、略Ｍ字状の中央にヒレ部が設けられていることを特徴とする壁パネルの接続構造。                          
【請求項４】
二枚の壁パネルに渡って連結材が壁パネルの背面に嵌合し、連結材と壁パネルの間にモールが設けられて、壁パネル同士を連結する壁パネルの組立方法であって、連結材にモールを嵌合させ、その後片側のパネルの背面にモール付き連結材を設け、モールに設けられた突起部を壁パネル端部の折り返し部と正面パネル部の間に挿入することで、連結材を壁パネルに仮固定させる壁パネルの組立方法。    
【発明の詳細な説明】
【技術分野】
【０００１】
本発明は、壁パネルの接続構造および組立方法に関し、より詳しくは、二枚の壁パネルに渡って連結材が壁パネルの背面に嵌合し、壁パネル同士を連結する壁パネルの接続構造および組立方法に関するものである。
【背景技術】
【０００２】
従来、浴室の壁の連結部の止水のためにパッキンを連結部に設ける止水構造は知られており、そのような止水構造が、浴室内から見えないようにされた構成が知られている。
【０００３】
例えば、壁パネル側縁に取付けられたスペーサー条材を、支柱内に弾性的に嵌合させ、支柱の係止片部に被係合面を係合させることによって、壁パネル相互が支柱を介して連結され、スペーサー条材間も圧潰されるシール条材でシールされる構成が知られている（特許文献１参照）。
【０００４】
また、隣接する二枚のパネルを支柱を介して連結する連結装置において、二枚のパネルにそれぞれ形成された折曲片先端の折返し部を、支柱の室内側開口部内に嵌入し、隣接するパネルの折返し部同士を突合せて、樹脂等で形成したジョイナーおよびシール片を介して弾性的に嵌合係止した構成が知られている（特許文献２参照）。
【０００５】
さらに、従来、図８および図９に示すような壁パネルの接続構造が知られている。この壁パネルの接続構造は、図８（ａ）、（ｂ）に示すように、左右隣接された状態で配置された二枚の壁パネル６０、６１が、連結材６２（図９（ｂ）参照）によって連結される構成である。
【０００６】
二枚の壁パネル６０、６１は、それぞれその接続端に、図８（ａ）、（ｂ）、図９（ｃ）に示すように縦桟６６が設けられており、この縦桟６６には、図９（ａ）に示すように、一部に太幅部６７と細巾部６８を有するスリット６９が形成されている。
【０００７】
二枚の壁パネル６０、６１を連結する連結材６２には、二枚の壁パネル６０、６１のそれぞれのスリット６６に対応して大径部７３を有する突起７４が設けられている。連結材６２の突起７４を、縦桟６６のスリット６９の太幅部６７から挿入し、細幅部６８に沿って移動することで、二枚の壁パネル６０、６１をモール７５を挟むようにして連結材６２で連結することができる。
【先行技術文献】
【特許文献】
【０００８】
【特許文献１】実公平１−２５１３８号公報
【特許文献２】特開平６−１０８５６０公報
【発明の概要】
【発明が解決しようとする課題】
【０００９】
上記従来技術は、隣接する二つのパネルをスペーサー条片あるいはジョイナーを介して支柱内に嵌合し水密的に接続する構成である。しかし、このような構成は、隣接する二つのパネルを、二つの連結材で、簡単かつしっかりと接続するための接続構造では、必ずしも適用できない。
【００１０】
ところで、図８および図９に示す接続構造では、二枚の壁パネル６０、６１を連結材６２で接続する作業では、連結材６２の突起７４を、壁パネル６０、６１に組み込まれた縦桟６６のスリット６９の太幅部６７から挿入し、細幅部６８に位置させるようにして、突起７４をスリット６９に引っ掛けた状態とすれば、連結材６９が壁パネル６０、６１から外れるようなことはない。
【００１１】
しかしながら、連結材の突起を挿入する縦桟を備えていない壁パネル（後記する図１に示す本発明のような壁パネル）では、図８および図９に示す接続構造のように、連結材の突起を壁パネルに引っ掛けた状態とすることはできないので、壁パネルの接続作業において、一方の壁パネルに連結材を取り付けてから、補助的な作業者が一方の壁パネルから連結材が外れないように保持しなければならない。
【００１２】
本発明は、縦桟の組み込まれていない壁パネルであっても、壁パネルの連結材による接続する作業において、一旦、壁パネルに連結材を仮固定可能として、連結材が壁パネルから外れたりしないようにし、しかも二枚の壁パネルを連結材で、簡単かつしっかりと接続でき、止水性にすぐれた壁パネルの接続構造を実現することを課題とする。
【課題を解決するための手段】
【００１３】
本発明は上記課題を解決するために、二枚の壁パネルに渡って連結材が壁パネルの背面に嵌合し、壁パネル同士を連結する壁パネルの接続構造であって、連結材と壁パネルの間にモールが設けられており、壁パネルは正面パネル部とその端部に設けられる折り返し部を備えており、モールは連結材に嵌合される連結材嵌合部と、正面パネル部と折り返し部の間に挿入される突起部を備えていることを特徴とする壁パネルの接続構造を提供する。
【００１４】
モールには二枚の壁パネル間の止水用のヒレ部が設けられていることが好ましい。
【００１５】
モールの中央部は浴室外側方向に窪んで窪み部が形成されており、窪み部の底部は略Ｍ字状に形成され、略Ｍ字状の中央にヒレ部が設けられていることが好ましい。          
【００１６】
本発明は上記課題を解決するために、二枚の壁パネルに渡って連結材が壁パネルの背面に嵌合し、連結材と壁パネルの間にモールが設けられて、壁パネル同士を連結する壁パネルの組立方法であって、連結材にモールを嵌合させ、その後片側のパネルの背面にモール付き連結材を設け、モールに設けられた突起部を壁パネル端部の折り返し部と正面パネル部の間に挿入することで、連結材を壁パネルに仮固定させる壁パネルの組立方法を提供する。
【発明の効果】
【００１７】
本発明の壁パネルの接続構造および組立方法によれば、連結材と壁パネルの間に設けられたモールは、連結材に嵌合される連結材嵌合部と、正面パネル部と折り返し部の間に挿入される突起部を備えているので、連結材を壁パネルに仮固定でき、二枚の壁パネルを接続し壁を組み立てる作業を一人で施工することが可能となる。
【図面の簡単な説明】
【００１８】
【図１】本発明の実施例における二枚の壁パネルおよびその接続構造を説明する図であり、（ａ）、（ｂ）は、接続される二枚の壁パネルの構成を示し、（ａ）は背面図であり、（ｂ）は接続される側端部の平面図であり、（ｃ）は、本発明におけるモールを設けることなく二枚の壁パネルを連結材で接続した接続構造を示す平面図である。
【図２】上記実施例において、二枚の壁パネルを連結する連結材を説明する図であり、突起付き連結材について、（ａ）は正面側から見た図であり、（ｂ）は背面側から見た図と平面図であり、溝付き連結材について、（ｃ）は正面側から見た図であり、（ｄ）は背面側から見た図と平面図である。
【図３】上記実施例におけるモールの構成を説明する図であり、（ａ）は浴室側の斜めから見た斜視図であり、（ｂ）は平面図である。
【図４】上記実施例におけるパネルの接続構造を組み立てる工程を説明する図で、（ａ）は連結材を示し、（ｂ）はモールを連結材に組み込んだ状態を浴室側の斜めから見た斜視図であり、（ｃ）は平面図である。
【図５】上記実施例におけるパネルの接続構造を組み立てる工程を説明する図で、（ａ）はモールを組み込んだ連結材に第１の壁パネルを嵌合する前の状態を示し、（ｂ）は嵌合後の状態を示す。
【図６】上記実施例におけるパネルの接続構造を組み立てる工程を説明する図で、（ａ）は図５（ｂ）の要部（突起部およびその周辺）の拡大図であり、（ｂ）はモールを組み込み、第１の壁パネルを嵌合した連結材に、第２の壁パネルを嵌合する前の状態を示す。
【図７】上記実施例におけるパネルの接続構造を組み立てる工程を説明する図で（ａ）は連結材に第２の壁パネルを嵌合した後の状態を示す。（ｂ）は本発明のパネルの接続構造を示す平面図である。
【図８】従来の接続構造によって連結される二枚の壁パネルを隣接配置した状態を示し、（ａ）は背面側から見た図であり、（ｂ）は背面側から見た斜視図を示す。
【図９】従来の接続構造を示す図であり、（ａ）は縦桟を背面側から見た図であり、（ｂ）は連結材を正面側から見た斜視図であり、（ｃ）は接続構造の平面図を示している。
【発明を実施するための形態】
【００１９】
本発明に係る壁パネルの接続構造および組立方法を実施するための形態を実施例に基づき図面を参照して、以下説明する。
【実施例】
【００２０】
（壁パネルおよび連結材）
【００２１】
本発明は、浴室を形成する壁において、二枚の壁パネルに渡って連結材が壁パネルの背面に嵌合し、壁パネル同士を連結する壁パネルの接続構造および組立方法に関する発明である。以下、その実施例について図１〜図７を参照して説明する。
【００２２】
まず、接続される二枚の壁パネルの構成および二枚の壁パネルを接続する連結材の構成について、図１および図２を参照して説明する。なお、本明細書では、壁パネルおよび連結材等について、浴室内側を正面側とも言い、浴室外側を背面側とも言う。
【００２３】
図１（ａ）は、接続されるべき第１の壁パネル１と第２の壁パネル２が、互いに連結材３で接続される側端部が対面するように、隣接して一直線上に並べた状態を、浴室外側（背面側）から見た図である。
【００２４】
第１の壁パネル１と第２の壁パネル２は、図１（ｂ）に示すように、それぞれ浴室の内側に面した正面パネル部６と、その側端部において浴室外側に折り曲げられた折り返し部７を備えている。折り返し部７は、平面視で略ム字状に形成されており、その先端側に、浴室内側斜め方向に折り返された折り返し当接部８が形成されている。
【００２５】
連結材３は、突起付き連結材１２と溝付き連結材２２とから成る（図４（ａ）等参照）。突起付き連結材１２は、図１（ｃ）、図２（ａ）、（ｂ）に示すように、第２の壁パネル２の正面パネル部６の背面に対面しモール３５を介して当接する壁当接部１３と、溝付き連結材２２と当接して連結材同士が接続される連結材接続部１４と、を備えている。
【００２６】
壁当接部１３は、第２の壁パネル２の折り返し当接部８に対面しモール３５を介して当接する折り返し壁１５を備えている。折り返し壁１５は、壁当接部１３の先端が背面側斜め方向に折り返されて形成されている。
【００２７】
突起１６は、図１（ｃ）、図２（ａ）、（ｂ）に示すように、小径部１７と大径部１８から成り、小径部１７は、連結材接続部１４に固定されており、大径部１８が連結材接続部１４の背面側に位置するように設けられている。
【００２８】
溝付き連結材２２は、図１（ｃ）、図２（ｃ）、（ｄ）に示すように、壁パネル１の正面パネル部６の背面に対面しモール３５を介して当接する壁当接部２３と、突起付き連結材１２と当接して連結材同士が接続される連結材接続部２４と、を備えている。
【００２９】
壁当接部２３は、第１の壁パネル１の折り返し当接部８に対面しモール３５を介して当接する折り返し壁２５を備えている。折り返し壁２５は、壁当接部２３の先端が背面側斜め方向に折り返されて形成されている。この溝付き連結材２２の連結材接続部２４の端部には、浴室内側方向に折り返された連結材位置決め部２６が設けられている。
【００３０】
溝２７は、連結材接続部２４に設けられ、上下方向に延び、かつ浴室の内外方向へ貫通して形成されており、図２（ｃ）、（ｄ）に示すように、略円形の突起挿入部２８と、突起挿入部２８から斜め下方に延びる細溝２９を備えている。     
【００３１】
突起挿入部２８は、突起１６の大径部１８より若干大きく形成されており、突起１６の大径部１８が挿通可能である。細溝２９は、突起１６の大径部１８より細幅であって、突起１６の小径部１７より太幅に形成されており、突起１６の大径部１８は細溝２９から抜け出ず、突起１６の小径部１７は、細溝２９に沿って移動可能なように挿通される。
【００３２】
以上は、互いに接続される隣接する第１の壁パネル１および第２の壁パネル２と、第１の壁パネル１と第２の壁パネル２を接続する連結材３の構成であるが、後記する本発明の接続構造３４（図７（ｂ）参照）では、第１の壁パネル１および第２の壁パネル２と連結材３の間に、後記するモール３５を設けて成る止水構造５９を採用している。
【００３３】
図１（ｃ）は、本発明の接続構造において、仮にモール３５を設けることなく止水構造５９（図７（ｂ）参照）を採用しない場合の、連結材３で接続される第１の壁パネル１と第２の壁パネル２の接続構造を、参考例として示す。
【００３４】
図１（ｃ）で示す参考例の接続構造では、第１の壁パネル１と第２の壁パネル２は、互いに寄せ合うように移動し、第１の壁パネル１および第２の壁パネル２の折り返し当接部８は、それぞれ溝付き連結材２２の折り返し壁２５および突起付き連結材１２の折り返し壁１５と当接した状態で接続される。
【００３５】
（モール）
本発明の接続構造３４（図７（ｂ）参照）に設けられるモール３５の構成を、図３（ａ）、（ｂ）を参照して説明する。モール３５は、全体的には上下方向に延びる条片として形成されており、図３（ａ）、（ｂ）に示すように、浴室内側方向に向かって左側の第１の端部３６と、右側の第２の端部３７と、第１および第２の端部３６、３７の間の中央部３８と、を備えている。
【００３６】
モール３５の第１の端部３６は、図３（ｂ）に示すように、平面視で全体的に略ヒ字状に形成されており、その中央部３８側には、溝付き連結材２２が嵌合する（図４（ｃ）等参照）連結材嵌合部４１と突起部４２が設けられている。
【００３７】
より具体的には、モール３５の第１の端部３６は、図３（ｂ）に示すように、第１の壁パネル１の正面パネル部６に当接するように横幅方向に延びる帯部４４と、帯部４４の中央部３８側において浴室外側方向に屈曲して延びるへの字状の中央側屈曲部４５と、帯部４４の端部側において浴室外側方向に屈曲して延びるへの字状の端部屈曲部４６と、を備えている。
【００３８】
連結材嵌合部４１は、これら帯部４４、中央側屈曲部４５および端部屈曲部４６から形成されている。そして、突起部４２は、帯部４４における中央側屈曲部４５より中央側に向けて突出する部分である。
【００３９】
モール３５の第２の端部３７は、平面視で全体的に略レ字状に形成されており、第２の壁パネル２の正面パネル部６に当接する帯部５０と、帯部５０の中央部３８側が折り返されて成る被挟持部４９と、を備えている。被挟持部４９は、突起付き連結材１２の折り返し壁１５と第２の壁パネル２の折り返し当接部８の間で挟持される（図７（ｂ）参照）。
【００４０】
モール３５の中央部３８は、図３（ａ）、（ｂ）に示すように、室外側方向に窪んだ窪み部５３が形成されている。窪み部５３の底部５４（窪み部５３において平面視で浴室外側方向に位置する部分。図３（ｂ）参照）は、略Ｍ字状（図中では略逆Ｍ字状に見えるが、浴室外側に向けては略Ｍ字状である。或いは略Ｗ字状でもある。）に形成されている。
【００４１】
底部５４における略Ｍ字状の室内側方向の中央に、第１の壁パネル１および第２の壁パネル２の端部における折り返し部７に当接する（図７（ｂ）参照）ヒレ部５５が設けられている。ヒレ部５５は、底部５４の中央から室内側方向に向けて、平面視で略Ｖ字状に延びるように形成されている。
【００４２】
なお、より厳密には、第１の端部３６の中央側屈曲部４５および第２の端部の挟持部４９も、底部５４とともに窪み部５３を構成する一部ともなっているとも言える。要するに、中央側屈曲部４５および挟持部４９は、窪み部５３の構成要素を兼ねているとも言える。
【００４３】
モール３５のうち、第１の端部３６、第２の端部３７および中央部３８から成る本体部５６は、硬質の樹脂材などで形成されており、ヒレ部５５は軟質の樹脂材などで形成されている。そして、本体部５６とヒレ部５５は、一体で成形されている。
【００４４】
（パネルの接続構造および組立方法）
本発明に係る接続構造３４および組立方法は、第１の壁パネル１と第２の壁パネル２と連結材３の間に、モール３５を設けて、第１の壁パネル１と第２の壁パネル２を連結材３によって接続する構成であるが、その接続構造および組立方法を、組立の工程を通して、以下説明する。
【００４５】
連結材３で第１の壁パネル１と第２の壁パネル２を接続するために、まず、連結材３の準備をする。即ち、図４（ａ）に示すように、突起付き連結材１２を、溝付き連結材２２の内側に沿うように入れて、突起１６を、溝付き連結材２２の突起挿入部２８を通して挿通し、浴室外側方向に向けて突出した状態として配置する。
【００４６】
そして、図４（ｂ）、（ｃ）に示すように、連結材３にモール３５を組み込んで設ける。この組み込んだ状態では、モール３５の連結材嵌合部４１に、溝付き連結材２２における折り返し壁２５を含め壁当接部２３が嵌合している。また、モール３５の第２の端部３７の帯部５０には突起付き連結材１２の壁当接部１３が当接している。
【００４７】
次に、図５（ａ）に示すように、モール３５を組み込んだ連結材３に、第１の壁パネル１を浴室内側から接近させ、第１の壁パネル１の折り返し部７をモール３５の窪み部５３内に挿入する。なお、図５（ａ）では、連結材３に、第１の壁パネル１を浴室内側から接近させた状態を示したが、その逆で、連結材３を第１の壁パネル１を浴室外側から接近させても良い。
【００４８】
このようにして、図５（ｂ）、図６（ａ）に示すように、第１の壁パネル１の折り返し当接部８を、モール３５における第１の端部３６の中央側屈曲部４５に当接させるとともに、第１の壁パネル１の折り返し部７をヒレ部５５に当接させた状態とする。この状態では、モール３５の突起部４２は、第１の壁パネル１の正面パネル部６と折り返し部７の間に挿入された状態となる。          
【００４９】
そして、モール３５を組み込み、第１の壁パネル１に取り付けた連結材３に、図６（ｂ）に示すように、第２の壁パネル２を浴室内側から接近させ、図７（ａ）に示すように、第２の壁パネル２の折り返し部７をモール３５の窪み部５３内に挿入する。この状態では、第１の壁パネル１と第２の壁パネル２の互いの折り返し部７は、対面状態とする。
【００５０】
その後、突起付き連結材１２を下降させ、突起付き連結材１２の突起１６の小径部１７を溝付き連結材２２の細溝２９に沿って斜め下方に移動させる。すると、突起付き連結材１２は、図７（ａ）に示す状態から図７（ｂ）に示す状態にスライドする。
【００５１】
その結果、図７（ｂ）に示すように、第１の壁パネル１および第２の壁パネル２は寄せ合い、互いの折り返し部７が当接して密着し、第１の壁パネル１および第２の壁パネル２は接続され、止水構造５９を備えた本発明の接続構造３４が形成される。
【００５２】
本発明の壁パネルの組立工程は以上のとおりであるが、上記組立工程において、図５（ａ）、（ｂ）に示すように、モール３５を組み込んだ連結材３に、第１の壁パネル１を浴室内側から接近させて、第１の壁パネル１の折り返し部７をモール３５の窪み部５３内に挿入すると、上記したとおり、モール３５の突起部４２は、第１の壁パネル１の正面パネル部６と折り返し部７の間に挿入された状態となる（図５（ｂ）、図６（ａ）参照）。
【００５３】
そのため、第１の壁パネル１と連結材３が浴室の内側方向または外側方向に外れるような力が加わっても、第１のモール３５の突起部４２が第１の壁パネル１の折り返し部７および折り返し当接部８に係合するので、外れるようなことは防止できる。
【００５４】
要するに、モール３５の突起部４２は、第１の壁パネル１の正面パネル部６と折り返し部７および折り返し当接部８の間に挿入した状態とすることで、連結材３を第１の壁パネル１に仮固定することが可能となる。その結果、壁パネルの組立を一人で組立の施工することが可能となる。                                          
【００５５】
本発明の接続構造３４では、図７（ｂ）に示すように、第１の壁パネル１の折り返し当接部８と溝付き連結材２２の折り返し壁２５は、それらの間にモール３５の中央側屈曲部４５を挟持する。これによって、第１の壁パネル１の折り返し当接部８と溝付き連結材２２の折り返し壁２５の間の水密性を確保することができる。
【００５６】
また、第２の壁パネル２の折り返し当接部８と突起付き連結材１２の折り返し壁１５は、それらの間にモール３５の被挟持部４９を挟持する。これによって、第２の壁パネル２の折り返し当接部８と突起付き連結材１２の折り返し壁１５の間の水密性を確保することができる。
【００５７】
さらに、第１の壁パネル１および第２の壁パネル２の折り返し部７は、それぞれモール３５のヒレ部５５と当接する。これによって、第１の壁パネル１の折り返し部７と第２の壁パネル２の折り返し部７の間の水密性を確保することができる。
【００５８】
本発明の接続構造３４では、モール３５の窪み部５３の底部５４は略Ｍ字状に形成され、平面視で略Ｍ字状のモール３５の室内側方向の中央に、第２の壁パネル１および第２の壁パネル２の折り返し部７に当接するヒレ部５５が設けられている。
【００５９】
そして、突起付き連結材１２の折り返し壁１５と溝部付き連結材２２の折り返し壁２５のそれぞれの傾斜面によって、側方から楔状に締め付けられているので、ヒレ部５５を含めモール３５の前後左右方向の位置を、適切な位置にキープすることができ、モール３５がずれたりすることなく、確実に止水でき、止水性が向上する。
【００６０】
そして、第１の壁パネル１と第２の壁パネル２の接続部に設けられたモール３５は、浴室内側に露出せず、浴室内側から見て、第１の壁パネル１と第２の壁パネル２の接続部が自然な繋がりとなり、見栄えが良い。
【００６１】
また、モール３５を介して壁パネル（第１の壁パネル１、第２の壁パネル２）と連結材３が互いに当接した構成となっているので、壁パネルの接続構造３４自体の強度も向上する。
【００６２】
以上、本発明に係る壁パネルの接続構造および組立方法を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００６３】
本発明に係る壁パネルの接続構造および組立方法は上記のような構成であるから、浴室の壁パネルの接続部だけでなく、建屋における止水性を要する部屋の壁パネルの接続部等にも適用可能である。
【符号の説明】
【００６４】
１  第１の壁パネル                   
２  第２の壁パネル                   
３  連結材   
６  正面パネル部
７    第１の壁パネル及び第２の壁パネルの折り返し部                     
８    第１の壁パネル及び第２の壁パネルの折り返し当接部                 
１２  突起付き連結材               
１３  突起付き連結材の壁当接部                 
１４  突起付き連結材の連結材接続部                   
１５  突起付き連結材の折り返し壁                     
１６  突起付き連結材の突起       
１７  突起の小径部                         
１８  突起の大径部
２２  溝付き連結材                 
２３  溝付き連結材の壁当接部                       
２４  溝付き連結材の連結材接続部                   
２５  溝付き連結材の折り返し壁                     
２６  溝付き連結材の連結材位置決め部               
２７  溝付き連結材の溝                           
２８  溝の突起挿入部                   
２９  細溝   
３４  壁パネルの接続構造
３５  モール
３６  モールの第１の端部
３７  モールの第２の端部
３８  モールの中央部
４１  モールの連結材嵌合部
４２  モールの突起部
４４  モールの第１の端部の帯部
４５  第１の端部の中央側屈曲部
４６  第１の端部の端部屈曲部
４９  モールの第２の端部の被挟持部
５０  モールの第２の端部の帯部
５３  モールの窪み部
５４  窪み部の底部
５５  ヒレ部
５６  モールの本体部
６０、６１  壁パネル
６２  連結材                               
６６  縦桟                                         
６７  太幅部                                       
６８  細巾部                                       
６９  スリット 
７３  大径部                                       
７４  突起                                         
７５  モール 
【図１】
2020084616.tif 000003
【図２】
2020084616.tif 000004
【図３】
2020084616.tif 000005
【図４】
2020084616.tif 000006
【図５】
2020084616.tif 000007
【図６】
2020084616.tif 000008
【図７】
2020084616.tif 000009
【図８】
2020084616.tif 000010
【図９】
2020084616.tif 000011